(57)【要約】【課題】メガネを組み立てる際にネジが必要ない上、テンプルを軽い力で畳むことができるメガネ構造を提供する。【解決手段】メガネ構造は、メガネフレーム１、２つの枢着部材２、２つのテンプル３及び２つの連動部材４を備える。メガネフレーム１は、両側に設けられた延伸部１１を有し、延伸部１１には、貫通溝１２がそれぞれ設けられ、延伸部１１から貫通溝１２にかけて弾性部１３が延伸されて設けられる。枢着部材２は、枢着孔２１をそれぞれ有し、メガネフレーム１の延伸部１１の貫通溝１２に貫設される。テンプル３は、嵌着部３２と、枢着部材２の枢着孔２１に枢着させて位置決めされる枢着端３１とを有する。連動部材４は、メガネフレーム１の延伸部１１の弾性部１３に結合して位置決めされる第１の端部と、テンプル３の嵌着部３２に掛止して位置決めされる第２の端部とを有する。【選択図】図１
0003171875.tif 000002
【実用新案登録請求の範囲】
【請求項１】
メガネフレーム、２つの枢着部材、２つのテンプル及び２つの連動部材を備えるメガネ構造であって、
前記メガネフレームは、両側に設けられた延伸部を有し、前記延伸部には、貫通溝がそれぞれ設けられ、前記延伸部から前記貫通溝にかけて弾性部が延伸されて設けられ、
前記枢着部材は、枢着孔をそれぞれ有し、前記メガネフレームの前記延伸部の前記貫通溝に貫設され、
前記テンプルは、嵌着部と、前記枢着部材の前記枢着孔に枢着させて位置決めされる枢着端と、を有し、
前記連動部材は、前記メガネフレームの前記延伸部の前記弾性部に結合して位置決めされる第１の端部と、前記テンプルの前記嵌着部に掛止して位置決めされる第２の端部と、を有することを特徴とするメガネ構造。
【請求項２】
前記弾性部は、互いに位置がずれるように設けた２つの支持杆部材により構成され、
前記連動部材の前記第１の端部は、互いに位置がずれるように設けた前記２つの支持杆部材に貫設され、前記弾性部に位置決めされることを特徴とする請求項１に記載のメガネ構造。
【請求項３】
前記メガネフレームの前記延伸部と、前記延伸部の前記貫通溝及び前記弾性部とは、プレス成形により一体化されることを特徴とする請求項１に記載のメガネ構造。
【考案の詳細な説明】
【技術分野】
【０００１】
本考案は、メガネ構造に関し、特に、ネジを使用せずにフレームにテンプルを取り付けることができるメガネ構造であり、弾力を有して接続可能な部材をフレームに成形することにより、メガネを組み立てる際にネジが必要ない上、軽い力を加えるだけでテンプルを畳むことができるメガネ構造に関する。
【背景技術】
【０００２】
一般にメガネには、フレームにテンプルを取り付けた後にレンズが装着される。フレームにテンプルを対応するように取り付けるために、フレームとテンプルとにそれぞれ枢着部が設けられ、２つの枢着部を対応させて枢着させる。このように従来のメガネは、螺合枢着されたテンプルとフレームとにより構成されている。
【０００３】
従来のメガネは、フレーム、テンプル、パッドなどを接続する際、ネジにより連結固定させるが、メガネが一定期間使用されるとネジが緩んで外れやすくなり、直ちに締め付けない場合、ネジが外れて紛失し、各部材が外れてしまう虞がある。外れたネジを見つけたとしてもネジが小さいために再度取り付けることは非常に困難であり、メガネを使用するユーザにとって非常に不便である。
【考案の概要】
【考案が解決しようとする課題】
【０００４】
本考案の目的は、ネジを使用せずにフレームにテンプルを取り付けることができるようにし、弾力を有して接続可能な部材をフレームに成形することにより、メガネを組み立てるのにネジが必要ない上、軽い力を加えるだけでテンプルを畳むことができるメガネ構造を提供することにある。
【課題を解決するための手段】
【０００５】
上記課題を解決するために、本考案の第１の形態によれば、メガネフレーム、２つの枢着部材、２つのテンプル及び２つの連動部材を備えるメガネ構造であって、前記メガネフレームは、両側に設けられた延伸部を有し、前記延伸部には、貫通溝がそれぞれ設けられ、前記延伸部から前記貫通溝にかけて弾性部が延伸されて設けられ、前記枢着部材は、枢着孔をそれぞれ有し、前記メガネフレームの前記延伸部の前記貫通溝に貫設され、前記テンプルは、嵌着部と、前記枢着部材の前記枢着孔に枢着させて位置決めされる枢着端と、を有し、前記連動部材は、前記メガネフレームの前記延伸部の前記弾性部に結合して位置決めされる第１の端部と、前記テンプルの前記嵌着部に掛止して位置決めされる第２の端部と、を有することを特徴とするメガネ構造が提供される。
【０００６】
また、前記弾性部は、互いに位置がずれるように設けた２つの支持杆部材により構成され、前記連動部材の前記第１の端部は、互いに位置がずれるように設けた前記２つの支持杆部材に貫設され、前記弾性部に位置決めされることが好ましい。
【０００７】
また、前記メガネフレームの前記延伸部と、前記延伸部の前記貫通溝及び前記弾性部とは、プレス成形により一体化されることが好ましい。
【考案の効果】
【０００８】
本考案のメガネ構造は、ネジを使用せずにフレームにテンプルを取り付けることができるようにし、弾力を有して接続可能な部材をフレームに成形することにより、メガネを組み立てるのにネジが必要ない上、軽い力を加えるだけでテンプルを畳むことができる。
【図面の簡単な説明】
【０００９】
【図１】本考案の一実施形態によるメガネ構造を示す分解斜視図である。
【図２】本考案の一実施形態によるメガネ構造を組み立てるときの状態を示す分解斜視図である。
【図３】本考案の一実施形態によるメガネ構造を組み立てたときの状態を示す斜視図である。
【図４】本考案の一実施形態によるメガネ構造のテンプルを起こして開いたときの状態を示す斜視図である。
【図５】本考案の一実施形態によるメガネ構造のテンプルを畳んだときの状態を示す断面図である。
【考案を実施するための形態】
【００１０】
図１〜図４を参照する。図１〜図４に示すように、本考案の一実施形態によるメガネ構造は、少なくともメガネフレーム１、２つの枢着部材２、２つのテンプル３及び２つの連動部材４から構成される。
【００１１】
メガネフレーム１は、両側に設けられた延伸部１１を有する。延伸部１１には、貫通溝１２がそれぞれ設けられている。また、延伸部１１から貫通溝１２にかけて弾性部１３が延伸されて設けられている。この弾性部１３は、互いに位置がずれるように設けた２つの支持杆部材１３１により構成されている。
【００１２】
２つの枢着部材２は、枢着孔２１をそれぞれ有し、メガネフレーム１の延伸部１１の貫通溝１２に貫設される。
【００１３】
２つのテンプル３は、嵌着部３２と、枢着部材２の枢着孔２１に枢着させて位置決めされる枢着端３１と、を有する。
【００１４】
２つの連動部材４は、メガネフレーム１の延伸部１１の弾性部１３に結合して位置決めされる第１の端部と、互いに位置がずれた２つの支持杆部材１３１に貫設されて弾性部１３に位置決めされ、テンプル３の嵌着部３２に掛止して位置決めされる第２の端部と、を有する。
【００１５】
図１〜図４を参照する。図１〜図４に示すように、まず、メガネ構造を組み立てる際、２つの枢着部材２をメガネフレーム１の両側の延伸部１１に設けられた貫通溝１２へそれぞれ貫設させてから、延伸部１１に設けた弾性部１３に連動部材４を嵌入し、連動部材４の第１の端部を互いに位置がずれるように設けた２つの支持杆部材１３１に貫設させ、メガネフレーム１の延伸部１１の弾性部１３に位置決めしてから、テンプル３の枢着端３１を枢着部材２の枢着孔２１に枢着させて位置決めし、連動部材４の第２の端部をテンプル３に設けた嵌着部３２に掛止して位置決めし、組立てを完了する。
【００１６】
テンプル３を引き起こす場合、テンプル３を両外側へ向けて起こすと、テンプル３の枢着端３１が枢着部材２の枢着孔２１に枢着された箇所を中心として回転する。テンプル３を外側へ引き起こすと、テンプル３の嵌着部３２に設けられた連動部材４がメガネフレーム１の延伸部１１の弾性部１３に連動する。弾性部１３は、連動部材４が当接されると曲がって変形し、テンプル３が引き起こされて開いた状態で位置決めされる。テンプル３を畳む場合、テンプル３を軽く押して内側に変位させると、変形した弾性部１３が弾性回復力により復位されるため、弾性部１３及び連動部材４の端部により連動部材４が駆動し、テンプル３を迅速に畳まれた状態にすることができる。
【００１７】
メガネフレーム１の延伸部１１と、延伸部１１の貫通溝１２及び弾性部１３とは、プレス成形により一体化され、テンプル３の枢着端３１及び嵌着部３２も同様にプレス成形により一体化されているため、製造工程の工程数を減らすことができる。
【００１８】
上述したことから分かるように、本考案のメガネ構造は、ネジを使用せずにフレームにテンプルを取り付けることができるようにし、弾力を有して接続可能な部材をフレームに成形することにより、メガネを組み立てるのにネジが必要ない上、軽い力を加えるだけでテンプルを畳むことができる。
【００１９】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２０】
１      メガネフレーム
２      枢着部材
３      テンプル
４      連動部材
１１    延伸部
１２    貫通溝
１３    弾性部
２１    枢着孔
３１    枢着端
３２    嵌着部
１３１  支持杆部材
【図１】
0003171875.tif 000003
【図２】
0003171875.tif 000004
【図３】
0003171875.tif 000005
【図４】
0003171875.tif 000006
【図５】
0003171875.tif 000007